(57)【特許請求の範囲】
【請求項１】
スクリーンに背景画像となる動画を表示し、
被撮影者が位置する床面に動く歩道を設置し、該動く歩道の速度と背景画像の移動速度とが同期するように制御し、
前記動く歩道の速度及び背景画像の移動速度を被撮影者によるリモコン操作で変化させ、
該背景画像に被撮影者を重ねてビデオ撮影することを特徴とするビデオ画像の製作方法。
【請求項２】
前記背景画像に応じて被撮影者を照明する照明光の色温度及び／又は輝度を変えることを特徴とする請求項１のビデオ画像の製作方法。
【請求項３】
音声を再生し、前記ビデオ撮影とともに音声を録音することを特徴とする請求項１又は２のビデオ画像の製作方法。
【請求項４】
被撮影者を収容するビデオ撮影ボックスと、
前記ビデオ撮影ボックスの壁面をスクリーンとし、該スクリーンに画像を表示させるプロジェクターと、
連続する背景画像を記憶する画像記憶手段と、
前記画像記憶手段から背景画像を順次読み出し、前記プロジェクターに背景画像を出力するプロジェクター制御手段と、
前記ビデオ撮影ボックスの床面に設置された動く歩道と、
前記動く歩道の速度と前記背景画像の移動速度とが同期するように制御する制御手段と、
前記スクリーンと対向する位置に設置されたビデオカメラと、
を備え、背景画像に被撮影者を重ねてビデオ撮影することを特徴とするビデオ画像の製作装置。
【請求項５】
前記ビデオ撮影ボックス内に設けられたスピーカと、音声情報を記憶する音声記憶手段と、前記音声記憶手段から音声情報を読み出し、前記スピーカに音声情報を出力して音声を発生させる音声再生手段と、マイクロフォンを含み前記ビデオ撮影ボックス内の音声を録音する録音手段と、を有することを特徴とする請求項４のビデオ画像の製作装置。
【請求項６】
少なくとも前記動く歩道の速度を制御するリモコンと、該リモコンからのリモコン信号を受信する受信部と、該受信部によって受信したリモコン信号に基づいて前記動く歩道の速度を制御するとともに、前記画像記憶手段からの背景画像の読み出しを制御し、前記動く歩道の速度と前記背景画像の移動速度とを同期させる制御手段と、を有することを特徴とする請求項４又は５のビデオ画像の製作装置。
【請求項７】
被撮影者を照明する照明光の色温度及び／又は輝度を変えることが可能な照明手段と、前記背景画像の色温度及び／又は輝度に応じて前記照明手段の色温度及び／又は輝度を調整する調整手段と、を有することを特徴とする請求項４乃至６のいずれかに記載のビデオ画像の製作装置。
【請求項８】
被撮影者を照明する照明手段として前記ビデオカメラを囲むリングライトを有することを特徴とする請求項４乃至７のいずれかに記載のビデオ画像の製作装置。
【請求項９】
前記ビデオ撮影ボックスの壁面のほぼ全周をスクリーンとし、複数組のビデオカメラ及び照明手段が前記スクリーンに埋め込まれていることを特徴とする請求項４乃至８のいずれかに記載のビデオ画像の製作装置。
【請求項１０】
前記複数組のビデオカメラ及び照明手段のうちのいずれかの組のビデオカメラ及び照明手段を動作可能に選択的に切り替える切替手段を有することを特徴とする請求項９のビデオ画像の製作装置。
【発明の詳細な説明】
【０００１】
【発明の属する技術分野】
本発明はビデオ画像の製作方法及び装置に係り、特に背景画像に被撮影者を重ねてビデオ撮影するビデオ画像の製作方法及び装置に関する。
【０００２】
【従来の技術】
従来、ブルーバックなどの特定色のスクリーンを背景にして被撮影者をビデオカメラで撮影し、この撮影した画像から特定色だけを抽出してキー信号を作成し、このキー信号によって被撮影者の画像と、予め準備されている複数の背景画像の中から適宜選択した背景画像とをクロマキー合成し、この合成画像をビデオテープに記録するようにしたビデオ画像の製作方法がある（特開平８−７９７９２号公報）。
【０００３】
【発明が解決しようとする課題】
しかしながら、クロマキー合成は、合成部分の境界にジッターが生じたり、キー信号を得るための特定色成分が全景側にかぶる等の不自然な合成となるという問題がある。また、ビデオ撮影中に被撮影者はリアルな体験をすることができず、撮影中に退屈するという問題がある。
【０００４】
本発明はこのような事情に鑑みてなされたもので、背景画像に違和感なく被撮影者を合成することができ、撮影中に被撮影者がリアルな体験をすることができるビデオ画像の製作方法及び装置を提供することを目的とする。
【０００５】
【課題を解決するための手段】
前記目的を達成するために、本願請求項１に係るビデオ画像の製作方法は、スクリーンに背景画像となる動画を表示し、被撮影者が位置する床面に動く歩道を設置し、該動く歩道の速度と背景画像の移動速度とが同期するように制御し、前記動く歩道の速度及び背景画像の移動速度を被撮影者によるリモコン操作で変化させ、該背景画像に被撮影者を重ねてビデオ撮影することを特徴としている。これにより、背景画像に違和感なく被撮影者を合成することができ、また、被撮影者は撮影中に背景画像を見ながらリアルな体験をすることができる。更に、観光地などを歩き回るなどの疑似体験ができ、その合成画像を得ることができる。また、任意の速度で歩いたり止まったりすることができ、より自然な合成画像を得ることができる。
【０００８】
本願請求項２に示すように前記背景画像に応じて被撮影者を照明する照明光の色温度及び／又は輝度を変えることを特徴としている。即ち、背景画像の色温度及び／又は輝度に被撮影者の色温度及び／又は輝度を合わせることができ、より自然な画像合成を可能にしている。
【０００９】
本願請求項３に示すように音声を再生し、前記ビデオ撮影とともに音声を録音することを特徴としている。
【００１１】
本願請求項４に係るビデオ画像の製作装置は、被撮影者を収容するビデオ撮影ボックスと、前記ビデオ撮影ボックスの壁面をスクリーンとし、該スクリーンに画像を表示させるプロジェクターと、前記ビデオ撮影ボックスの床面に設置された動く歩道と、前記動く歩道の速度と前記背景画像の移動速度とが同期するように制御する制御手段と、連続する背景画像を記憶する画像記憶手段と、前記画像記憶手段から背景画像を順次読み出し、前記プロジェクターに背景画像を出力するプロジェクター制御手段と、前記スクリーンと対向する位置に設置されたビデオカメラとを備え、背景画像に被撮影者を重ねてビデオ撮影することを特徴としている。
【００１２】
本願請求項５に示すように前記ビデオ撮影ボックス内に設けられたスピーカと、音声情報を記憶する音声記憶手段と、前記音声記憶手段から音声情報を読み出し、前記スピーカに音声情報を出力して音声を発生させる音声再生手段と、マイクロフォンを含み前記ビデオ撮影ボックス内の音声を録音する録音手段と、を有することを特徴としている。
【００１４】
本願請求項６に示すように少なくとも前記動く歩道の速度を制御するリモコンと、該リモコンからのリモコン信号を受信する受信部と、該受信部によって受信したリモコン信号に基づいて前記動く歩道の速度を制御するとともに、前記画像記憶手段からの背景画像の読み出しを制御し、前記動く歩道の速度と前記背景画像の移動速度とを同期させる制御手段と、を有することを特徴としている。
【００１５】
本願請求項７に示すように被撮影者を照明する照明光の色温度及び／又は輝度を変えることが可能な照明手段と、前記背景画像の色温度及び／又は輝度に応じて前記照明手段の色温度及び／又は輝度を調整する調整手段と、を有することを特徴としている。本願請求項８に示すように被撮影者を照明する照明手段として前記ビデオカメラを囲むリングライトを有することを特徴としている。
【００１６】
本願請求項９に示すように前記ビデオ撮影ボックスの壁面のほぼ全周をスクリーンとし、複数組のビデオカメラ及び照明手段が前記スクリーンに埋め込まれていることを特徴としている。
【００１７】
本願請求項１０に示すように前記複数組のビデオカメラ及び照明手段のうちのいずれかの組のビデオカメラ及び照明手段を動作可能に選択的に切り替える切替手段を有することを特徴としている。
【００１８】
【発明の実施の形態】
以下添付図面に従って本発明に係るビデオ画像の製作方法及び装置の好ましい実施の形態について詳説する。
【００１９】
図１は本発明に係るビデオ画像の製作装置の概略を示す平面図であり、図２は図１の２−２線に沿う断面図である。
【００２０】
図１及び図２に示すように、このビデオ画像の製作装置は、出入口１０Ａを有するスタジオ１０内にビデオ撮影ボックス１２が設けられており、ビデオ撮影ボックス１２の４つの壁面にはスクリーンＳ１〜Ｓ４が設けられている。各スクリーンＳ１〜Ｓ４には、それぞれ照明Ｌ１〜Ｌ４付きのビデオカメラCam １〜Cam ４が埋め込まれており、また、各スクリーンＳ１〜Ｓ４にそれぞれ被撮影者に対する背景画像を投影するプロジェクターＰ１〜Ｐ４が設置されている。尚、ビデオカメラCam １〜Cam ４には、それぞれ図示しないマイクロホン及びリモコン受光部が設けられている。また、照明Ｌ１〜Ｌ４は、被撮影者の影が撮影されないようにリングライトが好ましい。
【００２１】
ビデオ撮影ボックス１２の床面には、動く歩道１４が設置されている。この動く歩道１４は、図２に示すように被撮影者１６がリモコン１８を操作することにより、矢印Ａ方向又は矢印Ｂ方向に移動でき、また、速度も調整できるようになっている。尚、リモコン操作による動く歩道１４等の制御の詳細については後述する。
【００２２】
また、スタジオ１０の正面には、操作パネル２０が設けられている。この操作パネル２０には、図３に示すようにＣＲＴディスプレイ２１、本発明に係るビデオ画像を記録するための記録媒体（ビデオカセット）の挿入排出口２２、プリント取出口２３、紙幣及びコインの投入口２４、釣銭用トレー２５、及び各種のボタンを含む操作部２６等が設けられている。
【００２３】
図４は本発明に係るビデオ画像の製作装置の実施の形態を示すブロック図である。
【００２４】
このビデオ画像の製作装置は、主として照明Ｌ１〜Ｌ４付きのビデオカメラCam １〜Cam ４、プロジェクターＰ１〜Ｐ４、各ビデオカメラCam １〜Cam ４に設けられたマイクロホンＭ１〜Ｍ４及びリモコン受光部Ｒ１〜Ｒ４、動く歩道１４、色温度変換部Ｔ１〜Ｔ４、音声再生回路３０、記録再生装置４６、中央処理装置（ＣＰＵ）５０、照明強度コントローラ５２、照明色温度コントローラ５４、背景画像及び音声ライブラリ５６、背景画像ジェネレータ６２、及びプロジェクターコントローラ６４等から構成されている。
【００２５】
図５は動く歩道１４等を制御するためのリモコン１８の平面図である。
【００２６】
このリモコン１８は、動く歩道１４等の速度をアップ／ダウンさせるアップスイッチ１８Ａ、ダウンスイッチ１８Ｂ、右折スイッチ１８Ｃ、左折スイッチ１８Ｄ、停止スイッチ１８Ｅ、ビデオカメラCam １〜Cam ４を手動で選択するための手動切替えスイッチ１８Ｆ〜１８Ｉ、ビデオカメラCam １〜Cam ４を自動的に切り替えるための自動切替えスイッチ１８Ｊ、及び上記スイッチ操作に応じた赤外リモコン信号を出力するリモコン発光部１８Ｋ等を有している。このリモコン１８のリモコン発光部１８Ｋから発光されたリモコン信号は、各ビデオカメラCam １〜Cam ４に設けられたリモコン受光部Ｒ１〜Ｒ４のうちのいずれか１つ又は複数によって受光される。
【００２７】
色温度変換部Ｔ１〜Ｔ４は、被撮影者を照明する照明光の色温度を変換するもので、図６（Ａ）に示すように光源７０の前方に配置されたガラスフィルタ７２と、このガラスフィルタ７２を適宜の位置に回転させるモータ７４とから構成されている。尚、ガラスフィルタ７２には、図６（Ｂ）に示すように円周方向に青から赤にわたってグラデーションが付けられている。
【００２８】
図４に戻って、ＣＰＵ５０は装置全体を統括制御するもので、このＣＰＵ５０には、課金装置３４から投入料金等を示す情報が加えられ、リモコン受光部Ｒ１〜Ｒ４からリモコン受光強度を示す信号及びＡ／Ｄコンバータ４８を介してリモコン信号が加えられ、操作部２６から背景画像の選択信号や印画要求等の指令信号が加えられる。
【００２９】
次に、上記ＣＰＵ５０及び図４に示した各部の動作について、図７乃至図１１に示すフローチャートを参照しながら説明する。
【００３０】
図７は被撮影者が料金を投入してから被撮影者を撮影したビデオ画像が記録されたビデオカセットを受け取るまでの全体の流れを示すフローチャートである。
【００３１】
ＣＰＵ５０は課金装置３４からの情報により料金が投入されたか否かを判別し（ステップＳ１０）、料金が投入されたと判別すると、続いてビデオカセットが挿入排出口２２（図３参照）に挿入されたか否かを判別する（ステップＳ１２）。
【００３２】
ビデオカセットが挿入されたことが判別されると、被撮影者は背景画像を操作部２６でのボタン操作により選択する（ステップＳ１４）。背景画像が選択されると、ビデオ撮影が開始される（ステップＳ１６）。即ち、ＣＰＵ５０は、背景画像が選択されると、背景画像及び音声ライブラリ５６から背景画像信号とそれに付随する音声信号を読み出し、背景画像信号を背景画像ジェネレータ６２に出力させ、音声信号を音声再生回路３０に出力させる。尚、背景画像信号及び音声信号は、外部サーバ５８から通信装置６０を介して背景画像及び音声ライブラリ５６に取り込むことができるようになっている。
【００３３】
背景画像ジェネレータ６２は、背景画像及び音声ライブラリ５６から入力した背景画像信号をＣＰＵ５０からの制御信号に基づいてプロジェクターコントローラ６４を介してプロジェクターＰ１〜Ｐ４に出力し、各プロジェクターＰ１〜Ｐ４は、それぞれ入力する背景画像信号に基づいて４面のスクリーンＳ１〜Ｓ４（図１参照）に背景画像を投影する。
【００３４】
また、音声再生回路３０は、背景画像及び音声ライブラリ５６から入力した音声信号をＤ／Ａ変換したのち増幅し、これをスピーカＳに出力して音声を再生させる。
【００３５】
一方、ビデオカメラCam １〜Cam ４は、それぞれ対向するスクリーンに投影された背景画像に被撮影者を重ねてビデオ撮影し、ビデオ信号をカメラ入力セレクタ４４に出力する。カメラ入力セレクタ４４は、ＣＰＵ５０からの選択指令により、４つのビデオ信号のうちから１つのビデオ信号を選択し、これを記録再生装置４６に出力する。
【００３６】
また、マイクロホンＭ１〜Ｍ４は、それぞれビデオ撮影ボックス１２内の音声を検出し、音声信号をマイク入力セレクタ３８に出力する。マイク入力セレクタ３８は、ＣＰＵ５０からの選択指令により、４つの音声信号のうちから１つの音声信号を選択し、これを音声合成回路４０に出力する。音声合成回路４０は、マイク入力セレクタ３８から入力する音声信号と、背景画像及び音声ライブラリ５６から出力されるＢＧＭ等の音声信号とを合成し、これを記録再生装置４６に出力する。記録再生装置４６は、入力するビデオ信号と音声信号とをビデオカセットに記録する。
【００３７】
上記のようにして所定時間のビデオ撮影が終了すると（ステップＳ１８）、ＣＰＵ５０は印画要求があるか否かを判別する（ステップＳ２０）。印画要求があると、印画画像の選択を行う（ステップＳ２２）。この印画画像の選択は、前記記録再生装置４６によりビデオ信号を再生させ、被撮影者と背景画像とが合成された画像を画像表示器２６に表示させ、コマ送りや停止等の操作を行うことにより所望のコマ画像を選択することができる。そして、印画画像の選択が行われると、記録再生装置４６はそのコマ画像を示すビデオ信号を印画装置４２に出力し、印画装置４２により静止画を印画させる（ステップＳ２４）。
【００３８】
印画要求がない場合又は印画が終了すると、精算要求があるか否かを判別する（ステップＳ２６）。精算要求がない場合にはステップＳ２０に戻り、精算要求がある場合にはビデオカセットを挿入排出口２２から排出し、料金を精算して釣銭を返金する（ステップＳ３０）。
【００３９】
次に、リモコン操作に伴う各部の制御について図８乃至図１０に示すフローチャートを参照しながら説明する。
【００４０】
図２に示すように被撮影者１６はリモコン１８を持って動く歩道１４上におり、必要に応じてリモコン１８を操作する。ＣＰＵ５０は、動く歩道１４等を制御するリモコン１８のスイッチ類が押されたか否かを判別する（図８のステップＳ４０）。リモコン１８のスイッチ類が押されていない場合には、マイクロホンＭ１〜Ｍ４付きのビデオカメラCam １〜Cam ４のうちのいずれかのビデオカメラが手動で選択されているか否か（即ち、撮影に供するビデオカメラが固定されているか否か）を判別する（ステップＳ４２）。
【００４１】
ビデオカメラが固定されている場合、即ち、ビデオカメラCam １〜Cam ４を手動で選択するための手動切替えスイッチ１８Ｆ〜１８Ｉ（図５参照）のうちのいずれかがＯＮされている場合には、ステップＳ４０に戻るとともに、ＣＰＵ５０は、手動切替えスイッチ１８Ｆ〜１８Ｉによって選択されたビデオカメラ及びマイクロホンからビデオ信号及び音声信号を取り込むべくカメラ入力セレクタ４４及びマイク入力セレクタ３８を制御する。
【００４２】
一方、ビデオカメラが固定されていない場合、即ち、ビデオカメラCam １〜Cam ４を自動的に切り替えるための自動切替えスイッチ１８ＪがＯＮされている場合には、ＣＰＵ５０は各ビデオカメラのリモコン受光部Ｒ１〜Ｒ４から入力するリモコン信号に基づいてリモコン受光強度を示す信号を求める（ステップＳ４４）。そして、最もリモコン受光強度の強いビデオカメラ及びマイクロホンを選択すべくカメラ入力セレクタ４４及びマイク入力セレクタ３８を切り替える（ステップＳ４６）。
【００４３】
また、ステップＳ４０において、リモコン１８のスイッチ類が押されたと判別されると、図９に示すサブルーチンに移行する（ステップＳ４８）。
【００４４】
図９に示すように動く歩道１４等の速度をアップ／ダウンさせるリモコン１８のアップスイッチ１８Ａ又はダウンスイッチが１８Ｂが押されたか否かを判別する（ステップＳ５０）。アップスイッチ１８Ａ又はダウンスイッチ１８Ｂが押された場合には、ＣＰＵ５０は、指示した方向に動く歩道の速度をアップ又はダウンさせるべく駆動回路３２に制御信号を出力し、動く歩道の速度を変化させる（ステップＳ５２）。
【００４５】
尚、アップスイッチ１８Ａ又はダウンスイッチ１８Ｂがワンプッシュされるごとに段階的に動く歩道の速度をアップ又はダウンさせる。また、動く歩道の移動方向は、リモコン信号の出射方向（被撮影者が歩いている方向）に基づいて決定される。即ち、図１０に示すように４つのビデオカメラCam １〜Cam ４のリモコン受光部Ｒ１〜Ｒ４に入射するリモコン信号のリモコン受光強度を求め（ステップＳ６２）、最もリモコン受光強度の強いビデオカメラは、ビデオカメラCam １又はCam ２かを判別する（ステップＳ６４）。
【００４６】
図１に示すように最もリモコン受光強度の強いビデオカメラがビデオカメラCam １又はCam ２の場合には、被撮影者は矢印Ｂ方向に向かって歩いていることになる。従って、この場合には、動く歩道１４を矢印Ａ方向に駆動し（ステップＳ６６）、被撮影者が常に動く歩道１４のほぼ中央に位置するようにする（図２参照）。一方、最もリモコン受光強度の強いビデオカメラがビデオカメラCam １又はCam ２でない場合（即ち、ビデオカメラCam ３又はCam ４の場合）には、被撮影者は矢印Ａ方向に向かって歩いていることになるため、動く歩道１４を矢印Ｂ方向に駆動する（ステップＳ６８）。
【００４７】
また、図９のステップＳ５２では、上記のように動く歩道を制御するとともに、動く歩道の移動方向及び速度に合わせて背景画像の移動方向及び速度を変化させ、また音声も変化させる。
【００４８】
ステップＳ５４では、リモコン１８の右折スイッチ１８Ｃ又は左折スイッチ１８Ｄが押されたか否かを判別する。右折スイッチ１８Ｃ又は左折スイッチ１８Ｄが押された場合には、ＣＰＵ５０は、指示した方向に背景画像及び音声を変化させる（ステップＳ５６）。この背景画像の方向の変化により、被撮影者が右折又は左折したように撮影される。
【００４９】
ステップＳ５８では、リモコン１８の停止スイッチ１８Ｅが押されたか否かを判別する。停止スイッチ１８Ｅが押された場合には、動く歩道を停止させる（ステップＳ６０）。
【００５０】
次に、照明強度及び色温度の制御について図１１に示すフローチャートを参照しながら説明する。
【００５１】
まず、ＣＰＵ５０は、選択された背景画像の色温度情報を入手し、入手した色温度情報を照明色温度コントローラ５４に出力する（ステップＳ７０）。照明色温度コントローラ５４は、入力した色温度情報からガラスフィルタ７２（図６参照）の回動位置を決定し（ステップＳ７２）、その決定した位置にガラスフィルタ７２を移動させるべくモータ７４を制御する（ステップＳ７４）。これにより、被撮影者を照明する照明光の色温度が背景画像の色温度と一致するように調整される。
【００５２】
また、ＣＰＵ５０は、選択された背景画像の平均輝度情報を入手し、入手した平均輝度情報を照明強度コントローラ５２に出力する（ステップＳ７６）。照明強度コントローラ５２は、入力した平均輝度情報から照明の輝度を決定し（ステップＳ７８）、その決定した輝度となるように照明の輝度を調整する（ステップＳ８０）。
【００５３】
図１２は本発明に係るビデオ画像の製作装置の他の実施の形態の概略を示す平面図であり、図１３は図１１の１３−１３線に沿う断面図である。
【００５４】
図１１及び図１３に示すように、このビデオ画像の製作装置のスタジオ８０の壁面には複数の小型のスピーカＳがアレイ状に埋め込まれており、また、１つの壁面をスクリーンとするプロジェクターＰと、２つのリングライト付きのビデオカメラCam と、２つの照明Ｌとが配置されている。尚、この実施の形態では、スタジオ８０内にはピアノ８２がセットされている。
【００５５】
図１４は本発明に係るビデオ画像の製作装置の実施の形態を示すブロック図である。
【００５６】
このビデオ画像の製作装置は、主としてリングライト付きのビデオカメラCam 、プロジェクターＰ、ビデオカメラCam に設けられたマイクロホンＭ、照明Ｌ、音声再生回路３０、演奏条件入力手段として機能するキーボード及びモニタを有するパソコン９０、課金装置９２、ＣＰＵ９４、演奏画像を示す背景画像信号と自動伴奏音としての音声信号を曲目毎に記録しているデータベース９６、画像処理装置９８、音声再生回路１００及び演奏記録装置１０２から構成されている。
【００５７】
図１５は背景画像に被撮影者（演奏者）を重ねてビデオ撮影するとともに、自動伴奏音と演奏者の演奏音とを録音するための処理手順を示すフローチャートである。
【００５８】
演奏者が課金装置９２に所要の料金を投入すると、図１５に示す処理がスタートし（ステップＳ１００）、演奏者はまず演奏に使用する楽器と曲目を選択する（ステップＳ１０２、Ｓ１０４）。続いて、選択した曲目のピッチ、テンポ等の演奏条件を選択する（ステップＳ１０６）。
【００５９】
次に、背景画像のシーンを選択する（ステップＳ１０８）。即ち、１つの曲目について、例えば客席側からステージ側を見たシーンやステージ側から客席側を見たシーン等の複数のシーンが用意されており、演奏者はこれらのシーンから所望のシーンを選択する。尚、ステップＳ１０２〜Ｓ１０８における各選択操作は、パソコン９０のキーボードやマウス等を使用して行う。
【００６０】
ＣＰＵ９４は、選択されたシーンの背景画像信号をデータベース９６から読み出し、画像処理装置９８に出力させる。画像処理装置９８は、データベース９６から取り込んだ背景画像信号を、演奏条件（テンポ）に合うように画像処理で変換し、プロジェクターＰに出力する（ステップＳ１１０）。これは、背景画像の動作と演奏のテンポとの整合をとるためである。
【００６１】
また、ＣＰＵ９４は、選択された曲目を演奏する各楽器ごとの音声信号（但し、被撮影者が実際に演奏する楽器の音声信号を除く）をデータベース９６から読み出し、音声再生回路１００に出力させる。音声再生回路１００は、データベース９６から取り込んだ各楽器ごとの音声信号をＤ／Ａ変換したのち増幅し、これをアレイ状に配置された複数のスピーカＳのうちの対応するスピーカＳに出力して自動伴奏音を再生する。これにより、例えば、あるスピーカＳからはバイオリンの音を発生させ、あるスピーカＳからクラリネットの音を発生させることができ、演奏者は実際にオーケストラをバックにステージに立っているときと同様な疑似体験をすることができる。
【００６２】
このようにして演奏者は自動伴奏音付きで自己の楽器を演奏することができる。一方、ビデオカメラCam 及びマイクロホンＭは、演奏が開始されると（ステップＳ１１２）、その演奏中に背景画像に演奏者を重ねてビデオ撮影してビデオ信号を演奏記録装置１０２に出力するとともに、自動伴奏音と演奏音とを検出して音声信号を演奏記録装置１０２に出力する（ステップＳ１０２）。これにより、背景画像に演奏者を重ねた画像が記録され、また自動伴奏音と演奏者の演奏音とが録音される。そして、演奏が終了すると、画像及び音声の記録も終了する（ステップＳ１０４）。
【００６３】
【発明の効果】
以上説明したように本発明によれば、スクリーンに背景画像となる動画を表示し、この背景画像に被撮影者を重ねてビデオ撮影するようにしたため、背景画像に違和感なく被撮影者を合成することができ、また、被撮影者は撮影中に観光地、コンピュータグラフィック、バーチャルリアリティ空間の中を歩き回ったり、オーケストラをバックに自己の楽器を演奏する等の疑似体験ができる。
【図面の簡単な説明】
【図１】本発明に係るビデオ画像の製作装置の概略を示す平面図
【図２】図１の２−２線に沿う断面図
【図３】操作パネルの正面図
【図４】本発明に係るビデオ画像の製作装置の実施の形態を示すブロック図
【図５】リモコンの平面図
【図６】色温度変換部を説明するために用いた図
【図７】本発明に係るビデオ画像の製作の全体の流れを示すフローチャート
【図８】リモコン操作に伴う各部の制御を説明するために用いたフローチャート
【図９】リモコン操作に伴う各部の制御を説明するために用いたフローチャート
【図１０】リモコン操作に伴う各部の制御を説明するために用いたフローチャート
【図１１】照明強度及び色温度の制御を説明するために用いたフローチャート
【図１２】本発明に係るビデオ画像の製作装置の他の実施の形態の概略を示す平面図
【図１３】図１２の１３−１３線に沿う断面図
【図１４】本発明に係るビデオ画像の製作装置の実施の形態を示すブロック図
【図１５】背景画像に被撮影者（演奏者）を重ねてビデオ撮影するとともに、自動伴奏音と演奏者の演奏音とを録音するための処理手順を示すフローチャート
【符号の説明】
１０…スタジオ、１２…ビデオ撮影ボックス、１４…動く歩道、１６…被撮影者、１８…リモコン、３０、１００…音声再生回路、４２…印画装置、４６…記録再生装置、５０、９４…ＣＰＵ、５２…照明強度コントローラ、５４…照明色温度コントローラ、５６…背景画像及び音声ライブラリ、６２…背景画像ジェネレータ、６４…プロジェクターコントローラ、９６…データベース、９８…画像処理装置、１０２…演奏記録装置、Ｓ１〜Ｓ４…スクリーン、Ｌ１〜Ｌ４、Ｌ…照明、Cam １〜Cam 、Cam …ビデオカメラ、Ｐ１〜Ｐ４、Ｐ…プロジェクター、Ｍ１〜Ｍ４、Ｍ…マイクロホン、Ｒ１〜Ｒ４…リモコン受光部、Ｔ１〜Ｔ４…色温度変換部
【図１】
0003956179.tif 000002
【図２】
0003956179.tif 000003
【図３】
0003956179.tif 000004
【図４】
0003956179.tif 000005
【図５】
0003956179.tif 000006
【図６】
0003956179.tif 000007
【図７】
0003956179.tif 000008
【図８】
0003956179.tif 000009
【図９】
0003956179.tif 000010
【図１０】
0003956179.tif 000011
【図１１】
0003956179.tif 000012
【図１２】
0003956179.tif 000013
【図１３】
0003956179.tif 000014
【図１４】
0003956179.tif 000015
【図１５】
0003956179.tif 000016